(57)【要約】  本発明に係る移動通信方法は、移動局ＵＥが、パイロット信号に基づいて位置登録要求を送信する工程Ａと、ネットワーク装置ＲＮＣ、ＭＳＣ/ＳＧＳＮが、受信した位置登録要求に応じて、移動局ＵＥの特定無線基地局ＮｏｄｅＢ０３に対するアクセスが許可されているか否かについて判定する工程Ｂと、かかるアクセスが許可されていないと判定された場合、ネットワーク装置ＲＮＣ、ＭＳＣ/ＳＧＳＮが、位置登録処理を拒否する工程Ｃと、位置登録処理の拒否回数が所定回数を超えた場合に、ネットワーク装置ＲＮＣ、ＭＳＣ/ＳＧＳＮが、特定無線基地局ＮｏｄｅＢ０３におけるパイロット信号の送信電力を低減するように決定する工程Ｄとを有する。
2009123235.tif 000002
【特許請求の範囲】
【請求項１】
移動局が、受信したパイロット信号に基づいて、特定無線基地局配下のセルを含む位置登録エリアに対する位置登録処理を行うように要求するための位置登録要求を送信する工程Ａと、
ネットワーク装置が、前記移動局から受信した前記位置登録要求に応じて、該移動局の前記特定無線基地局に対するアクセスが許可されているか否かについて判定する工程Ｂと、
前記移動局の前記特定無線基地局に対するアクセスが許可されていないと判定された場合、前記ネットワーク装置が、前記位置登録処理を拒否する工程Ｃと、
前記位置登録処理の拒否回数が所定回数を超えた場合に、前記ネットワーク装置が、前記特定無線基地局における前記パイロット信号の送信電力を低減するように決定する工程Ｄとを有することを特徴とする移動通信方法。
【請求項２】
前記ネットワーク装置は、前記位置登録処理の拒否回数を累積しており、所定期間、前記位置登録処理が拒否されない場合、累積している該位置登録処理の拒否回数をクリアすることを特徴とする請求項１に記載の移動通信方法。
【請求項３】
前記工程Ｄにおいて、前記ネットワーク装置は、前記特定無線基地局に対するアクセスが許可されている特定移動局の通信状況に応じて、該特定無線基地局における前記パイロット信号の送信電力を低減するか否かについて判定することを特徴とする請求項１に記載の移動通信方法。
【請求項４】
前記ネットワーク装置は、前記移動局の前記特定無線基地局に対するアクセスが許可されていないと判定された場合であっても、前記位置登録処理の拒否回数が所定回数を超えている場合には、前記位置登録処理を拒否しないことを特徴とする請求項１に記載の移動通信方法。
【請求項５】
前記工程Ｃにおいて、前記ネットワーク装置は、前記位置登録処理の拒否回数に応じて、該位置登録処理を拒否することを通知するための位置登録拒否応答に含める要因を変更することを特徴とする請求項１に記載の移動通信方法。
【請求項６】
前記工程Ｄにおいて、前記ネットワーク装置は、前記特定無線基地局配下のセルにおける他セルのオーバレイ状況に応じて、該特定無線基地局における前記パイロット信号の送信電力を低減するか否かについて判定することを特徴とする請求項１に記載の移動通信方法。
【請求項７】
前記ネットワーク装置は、所定期間経過後に、前記特定無線基地局における前記パイロット信号の送信電力を初期値に戻すこと決定することを特徴とする請求項１に記載の移動通信方法。
【請求項８】
移動局が、受信したパイロット信号に基づいて、特定無線基地局配下のセルを含む位置登録エリアに対する位置登録処理を行うように要求するための位置登録要求を送信するように構成されている移動通信システムであって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否回数が所定回数を超えた場合に、前記特定無線基地局における前記パイロット信号の送信電力を低減するように決定するように構成されている変更判定部とを具備することを特徴とする移動通信システム。
【請求項９】
前記位置登録処理の拒否回数を累積しており、所定期間、前記位置登録処理が拒否されない場合、累積している該位置登録処理の拒否回数をクリアするように構成されている記憶部を具備することを特徴とする請求項８に記載の移動通信システム。
【請求項１０】
前記変更判定部は、前記特定無線基地局に対するアクセスが許可されている特定移動局の通信状況に応じて、該特定無線基地局における前記パイロット信号の送信電力を低減するか否かについて判定するように構成されていることを特徴とする請求項８に記載の移動通信システム。
【請求項１１】
前記位置登録処理部は、前記移動局の前記特定無線基地局に対するアクセスが許可されていないと判定された場合であっても、前記位置登録処理の拒否回数が所定回数を超えている場合には、前記位置登録処理を拒否しないように構成されていることを特徴とする請求項８に記載の移動通信システム。
【請求項１２】
前記位置登録処理部は、前記位置登録処理の拒否回数に応じて、該位置登録処理を拒否することを通知するための位置登録拒否応答に含める要因を変更するように構成されていることを特徴とする請求項８に記載の移動通信システム。
【請求項１３】
前記変更判定部は、前記特定無線基地局配下のセルにおける他セルのオーバレイ状況に応じて、該特定無線基地局における前記パイロット信号の送信電力を低減するか否かについて判定するように構成されていることを特徴とする請求項８に記載の移動通信システム。
【請求項１４】
前記変更判定部は、所定期間経過後に、前記無線基地局における前記パイロット信号の送信電力を初期値に戻すことを決定するように構成されていることを特徴とする請求項８に記載の移動通信システム。
【請求項１５】
コンピュータを、請求項８乃至１４のいずれか一項に記載の移動通信システムとして動作させることを特徴とするプログラム。
【請求項１６】
移動局が、受信したパイロット信号に基づいて、特定無線基地局配下のセルを含む位置登録エリアに対する位置登録処理を行うように要求するための位置登録要求を送信するように構成されている移動通信システムで用いられる交換局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否回数が所定回数を超えた場合に、前記特定無線基地局における前記パイロット信号の送信電力を低減するように決定するように構成されている変更判定部とを具備することを特徴とする交換局。
【請求項１７】
移動局が、受信したパイロット信号に基づいて、特定無線基地局配下のセルを含む位置登録エリアに対する位置登録処理を行うように要求するための位置登録要求を送信するように構成されている移動通信システムで用いられる特定無線基地局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否回数が所定回数を超えた場合に、前記特定無線基地局における前記パイロット信号の送信電力を低減するように決定するように構成されている変更判定部とを具備することを特徴とする特定無線基地局。
【発明の詳細な説明】
【技術分野】
【０００１】
本発明は、移動通信方法、移動通信システム、プログラム、交換局及び特定無線基地局に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（Ｃｏｄｅ  Ｄｉｖｉｓｉｏｎ  Ｍｕｌｔｉｐｌｅ  Ａｃｃｅｓｓ：ＣＤＭＡ）技術に基づいた「Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式の移動通信システム、或いは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）と呼ばれる移動通信システムが提案されて仕様化されている。【０００３】
ここで、図１１乃至図１２を参照して、Ｗ-ＣＤＭＡ方式の移動通信システムについて説明する。【０００４】
図１１に示すように、Ｗ-ＣＤＭＡ方式の移動通信システムは、移動局ＵＥ（Ｕｓｅｒ  Ｅｑｕｉｐｍｅｎｔ）と、無線基地局ＮｏｄｅＢと、無線制御局ＲＮＣ（Ｒａｄｉｏ  Ｎｅｔｗｏｒｋ  Ｃｏｎｔｒｏｌｌｅｒ）と、交換局ＭＳＣ/ＳＧＳＮ（Ｍｏｂｉｌｅ  Ｓｗｉｔｃｈｉｎｇ  Ｃｅｎｔｅｒ/Ｓｅｒｖｉｎｇ  ＧＰＲＳ  Ｓｕｐｐｏｒｔ  Ｎｏｄｅ）とによって、セルラ方式の移動通信システムを構成している。かかるセルラ方式の制御単位は、「セル（Ｃｅｌｌ）」と呼ばれるエリアである。【０００５】
なお、かかる移動通信システムでは、交換局ＭＳＣ/ＳＧＳＮが複数存在し互いに接続されているのが普通であるが、図１１の例では、簡略化のため、１つの交換局ＭＳＣ/ＳＧＳＮのみが示されているものとする。【０００６】
また、かかる移動通信システムでは、交換局とは別に、ホームメモリと呼ばれる加入者情報を記憶する装置が配備されるのが普通であるが、図１１の例では、簡略化のため、ホームメモリの機能は、交換局ＭＳＣ/ＳＧＳＮに含まれるものとする。【０００７】
さらに、近年、屋外等の広範なエリアにカバーするための無線基地局（公衆無線基地局）とは別に、屋内等の狭小なエリアをカバーするための無線基地局（フェムト無線基地局）の導入が進んでいる。【０００８】
図１１に示すように、公衆無線基地局（無線基地局ＮｏｄｅＢ０２、ＮｏｄｅＢ）０２配下のセルを「マクロセル（０１、０２）」と呼び、フェムト無線基地局（無線基地局ＮｏｄｅＢ０３）配下のセルを「フェムトセル（０３）」と呼ぶ。【０００９】
具体的には、一般家庭や小規模オフィス等にフェムト無線基地局を配置し、無線制御局ＲＮＣとの接続に安価な家庭用ＩＰ回線を適用することで、特定移動局ＵＥ用のプライベートなエリア（単一或いは複数のフェムトセルにより形成されるエリア）を形成し、かかるエリア内では、当該特定移動局ＵＥに対して、当該フェムトセルにおける課金体系を適用したり、当該フェムトセル限定の付加機能を提供したりする「ユーザ限定サービス」の検討が行われている。【００１０】
Ｗ-ＣＤＭＡ方式の移動通信システムにおいて、電源は入っているが通信を行っていない、すなわち、ユーザの端末操作による発信動作や呼び出しによる着信に備えて待機している「待ち受け状態」の移動局ＵＥは、無線基地局ＮｏｄｅＢによってＣＰＩＣＨ（Ｃｏｍｍｏｎ  Ｐｉｌｏｔ  Ｃｈａｎｎｅｌ）を介してセル毎に送出されるパイロット信号の受信電力を測定し、最適なパイロット信号（すなわち、最適なパイロット信号に対応するセル）を自律的に選択するように構成されている。かかる選択アルゴリズムについては、説明を省略する。【００１１】
最適なパイロット信号（すなわち、最適なパイロット信号に対応するセル）を選択した移動局ＵＥは、当該セルにおいて待ち受けを行うように構成されている。この際、移動局ＵＥは、当該セルに対して位置登録処理を行うように構成されている。【００１２】
図１２を参照して、従来技術における位置登録処理の動作について説明する。【００１３】
ステップＳ５００１において、移動局ＵＥは、選択したフェムトセル０３の報知情報に含まれているセルの位置番号と、当該移動局ＵＥにおいて記憶されているセルの位置番号とを比較する。【００１４】
両者が一致していれば、移動局ＵＥは、本動作を終了して、当該フェムトセル０３における待ち受けを継続する。【００１５】
一方、両者が不一致であれば、移動局ＵＥは、ステップＳ５００２及びＳ５００３において、無線制御局ＲＮＣに対して、「ＲＲＣ  Ｃｏｎｎｅｃｔｉｏｎ  Ｒｅｑｕｅｓｔメッセージ」を送信することによって、当該無線制御局ＲＮＣとの間で無線回線を設定した上で、ステップＳ５００４において、交換局ＭＳＣ/ＳＧＳＮに対して、選択したフェムトセル０３を含む位置登録エリア（ページングエリア）に対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【００１６】
ステップＳ５００５において、移動局ＵＥについての認証処理が行われた後、ステップＳ５００６において、交換局ＭＳＣ/ＳＧＳＮが、アクセスリストを参照して、当該移動局ＵＥのフェムトセル０３（フェムト無線基地局ＮｏｄｅＢ０３）に対するアクセスが許可されているか否かについて判定する。【００１７】
図１２の例では、移動局ＵＥのフェムトセル０３（フェムト無線基地局ＮｏｄｅＢ０３）に対するアクセスが許可されているものとして、ステップ５００７において、交換局ＭＳＣ/ＳＧＳＮが、移動局ＵＥに対して、「Ｒｏｕｔｉｎｇ  Ａｒｅａ  Ｕｐｄａｔｅ  Ｒｅｊｅｃｔメッセージ（位置登録拒否応答）」を送信する。【００１８】
ステップＳ５００８において、交換局ＭＳＣ/ＳＧＳＮが、無線制御局ＲＮＣに対して、「ＩＵ  Ｒｅｌｅａｓｅ  Ｃｏｍｍａｎｄメッセージ」を送信し、ステップＳ５００９において、当該無線制御局ＲＮＣと移動局ＵＥとの間の無線回線が解放される。【００１９】
上述のように位置登録処理を拒否された移動局ＵＥは、上述の待ち受け状態に入ることができず、所定の時間経過後に、再び、ＣＰＩＣＨを介してセル毎に送出されるパイロット信号の受信電力を測定し、最適なパイロット信号に対応するセルとして、同一のフェムトセル０３を再び選択すれば、図１２の動作を繰り返すことになる。【００２０】
しかしながら、従来の移動通信システムでは、フェムトセル０３において待ち受け状態に入ることができない移動局ＵＥは、当該フェムトセル０３近傍にて通信サービスを享受できないという問題点があった。【００２１】
また、従来の移動通信システムでは、セル選択処理や位置登録処理が繰り返されることによる移動局ＵＥのバッテリー浪費も懸念されるという問題点があった。
【発明の開示】
【００２２】
そこで、本発明は、上述の課題に鑑みてなされたものであり、フェムトセル０３において待ち受け状態に入ることができない移動局ＵＥに対しても、フェムトセル０３以外での通信サービスを提供することを可能にしつつ、セル選択処理や位置登録処理の繰り返しを回避することによって、移動局ＵＥのバッテリー節約を可能にして利便性を高めることができる移動通信方法、移動通信システム、プログラム、交換局及び特定無線基地局を提供することを目的とする。
【００２３】
本発明の第１の特徴は、移動局が、受信したパイロット信号に基づいて、特定無線基地局配下のセルを含む位置登録エリアに対する位置登録処理を行うように要求するための位置登録要求を送信する工程Ａと、ネットワーク装置が、前記移動局から受信した前記位置登録要求に応じて、該移動局の前記特定無線基地局に対するアクセスが許可されているか否かについて判定する工程Ｂと、前記移動局の前記特定無線基地局に対するアクセスが許可されていないと判定された場合、前記ネットワーク装置が、前記位置登録処理を拒否する工程Ｃと、前記位置登録処理の拒否回数が所定回数を超えた場合に、前記ネットワーク装置が、前記特定無線基地局における前記パイロット信号の送信電力を低減するように決定する工程Ｄとを有することを要旨とする。
【００２４】
本発明の第１の特徴において、前記ネットワーク装置は、前記位置登録処理の拒否回数を累積しており、所定期間、前記位置登録処理が拒否されない場合、累積している該位置登録処理の拒否回数をクリアしてもよい。
【００２５】
本発明の第１の特徴において、前記工程Ｄにおいて、前記ネットワーク装置は、前記特定無線基地局に対するアクセスが許可されている特定移動局の通信状況に応じて、該特定無線基地局における前記パイロット信号の送信電力を低減するか否かについて判定してもよい。
【００２６】
本発明の第１の特徴において、前記ネットワーク装置は、前記移動局の前記特定無線基地局に対するアクセスが許可されていないと判定された場合であっても、前記位置登録処理の拒否回数が所定回数を超えている場合には、前記位置登録処理を拒否しなくてもよい。
【００２７】
本発明の第１の特徴において、前記工程Ｃにおいて、前記ネットワーク装置は、前記位置登録処理の拒否回数に応じて、該位置登録処理を拒否することを通知するための位置登録拒否応答に含める要因を変更してもよい。
【００２８】
本発明の第１の特徴において、前記工程Ｄにおいて、前記ネットワーク装置は、前記特定無線基地局配下のセルにおける他セルのオーバレイ状況に応じて、該特定無線基地局における前記パイロット信号の送信電力を低減するか否かについて判定してもよい。
【００２９】
本発明の第１の特徴において、前記ネットワーク装置は、所定期間経過後に、前記特定無線基地局における前記パイロット信号の送信電力を初期値に戻すこと決定してもよい。
【００３０】
本発明の第２の特徴は、移動局が、受信したパイロット信号に基づいて、特定無線基地局配下のセルを含む位置登録エリアに対する位置登録処理を行うように要求するための位置登録要求を送信するように構成されている移動通信システムであって、前記移動局から受信した前記位置登録要求に応じて、該移動局の前記特定無線基地局に対するアクセスが許可されているか否かについて判定するように構成されているアクセス判定部と、前記移動局の前記特定無線基地局に対するアクセスが許可されていないと判定された場合、前記位置登録処理を拒否するように構成されている位置登録処理部と、前記位置登録処理の拒否回数が所定回数を超えた場合に、前記特定無線基地局における前記パイロット信号の送信電力を低減するように決定するように構成されている変更判定部とを具備することを要旨とする。
【００３１】
本発明の第２の特徴において、前記位置登録処理の拒否回数を累積しており、所定期間、前記位置登録処理が拒否されない場合、累積している該位置登録処理の拒否回数をクリアするように構成されている記憶部を具備してもよい。
【００３２】
本発明の第２の特徴において、前記変更判定部は、前記特定無線基地局に対するアクセスが許可されている特定移動局の通信状況に応じて、該特定無線基地局における前記パイロット信号の送信電力を低減するか否かについて判定するように構成されていてもよい。
【００３３】
本発明の第２の特徴において、前記位置登録処理部は、前記移動局の前記特定無線基地局に対するアクセスが許可されていないと判定された場合であっても、前記位置登録処理の拒否回数が所定回数を超えている場合には、前記位置登録処理を拒否しないように構成されていてもよい。
【００３４】
本発明の第２の特徴において、前記位置登録処理部は、前記位置登録処理の拒否回数に応じて、該位置登録処理を拒否することを通知するための位置登録拒否応答に含める要因を変更するように構成されていてもよい。
【００３５】
本発明の第２の特徴において、前記変更判定部は、前記特定無線基地局配下のセルにおける他セルのオーバレイ状況に応じて、該特定無線基地局における前記パイロット信号の送信電力を低減するか否かについて判定するように構成されていてもよい。
【００３６】
本発明の第２の特徴において、前記変更判定部は、所定期間経過後に、前記無線基地局における前記パイロット信号の送信電力を初期値に戻すことを決定するように構成されていてもよい。
【００３７】
本発明の第３の特徴は、コンピュータを、本発明の第２の特徴を有する移動通信システムとして動作させるプログラムであることを特徴とする。
【００３８】
本発明の第４の特徴は、移動局が、受信したパイロット信号に基づいて、特定無線基地局配下のセルを含む位置登録エリアに対する位置登録処理を行うように要求するための位置登録要求を送信するように構成されている移動通信システムで用いられる交換局であって、前記移動局から受信した前記位置登録要求に応じて、該移動局の前記特定無線基地局に対するアクセスが許可されているか否かについて判定するように構成されているアクセス判定部と、前記移動局の前記特定無線基地局に対するアクセスが許可されていないと判定された場合、前記位置登録処理を拒否するように構成されている位置登録処理部と、前記位置登録処理の拒否回数が所定回数を超えた場合に、前記特定無線基地局における前記パイロット信号の送信電力を低減するように決定するように構成されている変更判定部とを具備することを要旨とする。
【００３９】
本発明の第５の特徴は、移動局が、受信したパイロット信号に基づいて、特定無線基地局配下のセルを含む位置登録エリアに対する位置登録処理を行うように要求するための位置登録要求を送信するように構成されている移動通信システムで用いられる特定無線基地局であって、前記移動局から受信した前記位置登録要求に応じて、該移動局の前記特定無線基地局に対するアクセスが許可されているか否かについて判定するように構成されているアクセス判定部と、前記移動局の前記特定無線基地局に対するアクセスが許可されていないと判定された場合、前記位置登録処理を拒否するように構成されている位置登録処理部と、前記位置登録処理の拒否回数が所定回数を超えた場合に、前記特定無線基地局における前記パイロット信号の送信電力を低減するように決定するように構成されている変更判定部とを具備することを要旨とする。
【図面の簡単な説明】
【００４０】
【図１】図１は、本発明の第１の実施形態に係る交換局の機能ブロック図である。
【図２】図２は、本発明の第１の実施形態に係る無線制御局の機能ブロック図である。
【図３】図３は、本発明の第１の実施形態に係る移動通信システムにおける位置登録処理時の動作を示すシーケンス図である。
【図４】図４は、本発明の第１の実施形態に係る交換局による累積判定処理時の動作を示すフローチャートである。
【図５】図５は、本発明の第１の実施形態に係る交換局による累積カウンタクリア処理時の動作を示すフローチャートである。
【図６】図６は、本発明の第１の実施形態に係る無線制御局によるＣＰＩＣＨパワーリダクション判定処理時の動作を示すフローチャートである。
【図７】図７は、本発明の第１の実施形態に係る移動通信システムにおけるＣＰＩＣＨパワー復帰処理時の動作を示すシーケンス図である。
【図８】図８は、本発明の第１の実施形態に係る無線制御局によるＣＰＩＣＨパワー復帰判定処理時の動作を示すフローチャートである。
【図９】図９は、本発明の変更例１に係る移動通信システムの全体構成図である。
【図１０】図１０は、本発明の変更例２に係る移動通信システムの全体構成図である。
【図１１】図１１は、一般的なＷ-ＣＤＭＡ方式の移動通信システムの全体構成図である。
【図１２】図１２は、一般的なＷ-ＣＤＭＡ方式の移動通信システムにおける位置登録処理時の動作を示すシーケンス図である。
【発明を実施するための最良の形態】
【００４１】
（本発明の第１の実施形態に係る移動通信システムの構成）
図１及び図２を参照して、本発明の第１の実施形態に係る移動通信システムの構成について説明する。なお、図１に示すように、本実施形態に係る移動通信システムの構成は、上述した図１１に示す構成と同様である。【００４２】
ここで、無線基地局ＮｏｄｅＢ０１、ＮｏｄｅＢ０２は、通信事業者等によって設置されるものであり、屋内空間におけるマクロセル０１、０２をカバーする公衆無線基地局であるものとする。【００４３】
また、フェムト無線基地局ＮｏｄｅＢ０３は、一般ユーザや通信事業者等によって一般家庭や小規模オフィス等に設置されるものであり、主に屋内空間におけるフェムトセル０３をカバーする超小型無線基地局であるものとする。【００４４】
なお、フェムト無線基地局ＮｏｄｅＢ０３と無線制御局ＲＮＣ０１とは、例えば、安価な家庭向けのＩＰ回線を介して接続されるように構成されていてもよい。【００４５】
また、フェムト無線基地局ＮｏｄｅＢ０３は、当該フェムト無線基地局ＮｏｄｅＢ０３にアクセス可能な特定移動局ＵＥに対して、「ユーザ限定サービス」を提供するように構成されていてもよい。【００４６】
ここで、「ユーザ限定サービス」としては、上述したように、フェムトセル０３において、マクロセルにおける課金体系とは異なる課金体系を提供することや、フェムトセル０３における限定の付加機能を提供することが想定される。【００４７】
また、本実施形態に係る移動通信システムは、オープン状態（Ｏｐｅｎ）又はクローズド状態（Ｃｌｏｓｅｄ）のいずれかに設定可能な無線基地局ＮｏｄｅＢ配下のセルに対する移動局ＵＥの位置登録処理の可否を判断するように構成されている。【００４８】
また、かかる移動通信システムにおいても、交換局ＭＳＣ/ＳＧＳＮとは別に、ホームメモリと呼ばれる加入者情報を記憶する装置を配備するのが普通であるが、本実施形態でも、同じく簡略化のため、ホームメモリの機能は、交換局ＭＳＣ/ＳＧＳＮに含まれるものとする。【００４９】
図１に示すように、本実施形態に係る交換局ＭＳＣ/ＳＧＳＮは、位置登録処理部１１と、アクセス判定部１２と、累積カウンタ情報記憶部１３と、累積判定部１４とを具備している。【００５０】
位置登録処理部１１は、移動局ＵＥから送信された「Ｒｏｕｔｉｎｇ  Ａｒｅａ  Ｕｐｄａｔｅ  Ｒｅｑｕｅｓｔメッセージ（位置登録要求）」によって指定されている無線基地局ＮｏｄｅＢ配下のセルを含む位置登録エリアに対する当該移動局ＵＥの位置登録処理を行うように構成されている。【００５１】
ここで、移動局ＵＥは、各セルからＣＰＩＣＨを介して受信したパイロット信号の受信電力を測定し、受信電力が最も良いパイロット信号に対応するセルを含む位置登録エリアに対する位置登録処理を行うように要求するための「Ｒｏｕｔｉｎｇ  Ａｒｅａ  Ｕｐｄａｔｅ  Ｒｅｑｕｅｓｔメッセージ（位置登録要求）」を送信するように構成されている。【００５２】
アクセス判定部１２は、移動局ＵＥから受信した「Ｒｏｕｔｉｎｇ  Ａｒｅａ  Ｕｐｄａｔｅ  Ｒｅｑｕｅｓｔメッセージ（位置登録要求）」によってフェムト無線基地局ＮｏｄｅＢ０３（特定無線基地局）配下のフェムトセル０３が指定されている場合、移動局ＵＥのフェムト無線基地局ＮｏｄｅＢ０３に対するアクセスが許可されているか否かについて、すなわち、移動局ＵＥのフェムト無線基地局ＮｏｄｅＢ０３配下のフェムトセル０３を含む位置登録エリアに対する位置登録処理の可否について判定するように構成されている。【００５３】
ここで、アクセス判定部１２によって、移動局ＵＥのフェムト無線基地局０３に対するアクセスが許可されていないと判定された場合、位置登録処理部１１は、移動局ＵＥのフェムト無線基地局ＮｏｄｅＢ０３配下のフェムトセル０３を含む位置登録エリアに対する位置登録処理を拒否するように構成されている。【００５４】
具体的には、位置登録処理部１１は、移動局ＵＥのフェムト無線基地局ＮｏｄｅＢ０３配下のフェムトセル０３を含む位置登録エリアに対する位置登録処理を拒否すると判定した場合、その旨を示す「Ｒｏｕｔｉｎｇ  Ａｒｅａ  Ｕｐｄａｔｅ  Ｒｅｊｅｃｔメッセージ（位置登録拒否応答）」を、無線制御局ＲＮＣに送信するように構成されている。【００５５】
また、アクセス判定部１２によって、移動局ＵＥの特定無線基地局に対するアクセスが許可されていないと判定された場合であっても、位置登録処理部１１は、上述の位置登録処理の拒否回数が所定回数を超えている場合には、かかる位置登録処理を拒否しないように構成されていてもよい。【００５６】
また、位置登録処理部１１は、上述の位置登録処理の拒否回数に応じて、該位置登録処理を拒否することを通知するための「Ｒｏｕｔｉｎｇ  Ａｒｅａ  Ｕｐｄａｔｅ  Ｒｅｊｅｃｔメッセージ（位置登録拒否応答）」に含める要因（Ｃａｕｓｅ）を変更するように構成されていてもよい。【００５７】
例えば、後述する「累積カウンタ」が所定回数を超えるまでは、かかる要因（Ｃａｕｓｅ）として、ネットワーク輻輳等の一時的な理由で拒否していることを示し、後述する「累積カウンタ」が所定回数を超えた後は、かかる要因（Ｃａｕｓｅ）として、当該位置登録処理が許容されていないという理由で拒否していることを示してもよい。【００５８】
なお、移動局ＵＥは、前者の要因（Ｃａｕｓｅ）を含む「Ｒｏｕｔｉｎｇ  Ａｒｅａ  Ｕｐｄａｔｅ  Ｒｅｊｅｃｔメッセージ（位置登録拒否応答）」を受信した場合、一定時間後に、同一のセルを含む位置登録エリアに対する位置登録処理を繰り返すように構成されており、後者の要因（Ｃａｕｓｅ）を含む「Ｒｏｕｔｉｎｇ  Ａｒｅａ  Ｕｐｄａｔｅ  Ｒｅｊｅｃｔメッセージ（位置登録拒否応答）」を受信した場合、同一のセルを含む位置登録エリアに対する位置登録処理を繰り返すことなく、別のセルを含む位置登録エリアに対する位置登録処理を行うように構成されていてもよい。【００５９】
累積カウンタ情報記憶部１３は、「移動局識別子」と「累積カウンタ」と「クリアタイマ」とを関連付ける累積カウンタ情報を記憶するように構成されている  （図４及び図５参照）。【００６０】
ここで、「累積カウンタ」は、「移動局識別子」によって識別される移動局ＵＥの特定無線基地局配下のセル（例えば、フェムトセル０３）を含む位置登録エリアに対する位置登録処理の拒否回数を示す。【００６１】
「クリアタイマ」は、上述の位置登録処理が拒否されない場合に、「累積カウンタ（累積している位置登録処理の拒否回数）」をクリアするまでの時間である所定期間を示す。【００６２】
なお、累積カウンタ情報記憶部１３は、「クリアタイマ」に設定されている所定期間、「移動局識別子」によって識別される移動局ＵＥの特定無線基地局配下のセル（例えば、フェムトセル０３）を含む位置登録エリアに対する位置登録処理が拒否されない場合、「累積カウンタ」に累積されている当該位置登録処理の拒否回数をクリアするように構成されている。【００６３】
累積判定部１４は、図４を用いて後述する累積判定処理を行うように構成されている。【００６４】
かかる累積判定処理の結果が「Ｙｅｓ」の場合（例えば、上述の位置登録処理の拒否回数が所定回数を超えた場合や、上述の特定無線基地局に対するアクセスが許可されている特定移動局が通信中である場合等）、位置登録処理部１１は、その旨を示す情報を、「ＩＵ  Ｒｅｌｅａｓｅ  Ｃｏｍｍａｎｄメッセージ（無線回線解放指示）」に含めて、無線制御局ＲＮＣに送信するように構成されている。【００６５】
一方、かかる累積判定処理の結果が「Ｎｏ」の場合、位置登録処理部１１は、通常の「ＩＵ  Ｒｅｌｅａｓｅ  Ｃｏｍｍａｎｄメッセージ（無線回線解放指示）」を、無線制御局ＲＮＣに送信するように構成されている。【００６６】
図２に示すように、本実施形態に係る無線制御局ＲＮＣは、無線回線制御部２１と、セルＣＰＩＣＨパワー情報記憶部２２と、変更判定部２３と、変更指示部２４とを具備している。【００６７】
無線回線制御部２１は、移動局ＵＥとの間で、無線回線（例えば、ＲＲＣコネクション）を設定したり解放したりするように構成されている。【００６８】
セルＣＰＩＣＨパワー情報記憶部２２は、「セル識別子」と「ＣＰＩＣＨパワー」と「初期値」と「下限値」と「ステップ幅」と「復帰タイマ」とを関連付けるセルＣＰＩＣＨパワー情報を記憶するように構成されている。【００６９】
「ＣＰＩＣＨパワー」は、「セル識別子」によって識別されるセルにおけるＣＰＩＣＨを介したパイロット信号の送信電力の現在値を示し、「初期値」は、「セル識別子」によって識別されるセルにおけるＣＰＩＣＨを介したパイロット信号の送信電力の初期値を示し、「下限値」は、「セル識別子」によって識別されるセルにおけるＣＰＩＣＨを介したパイロット信号の送信電力の下限値を示す。【００７０】
「ステップ幅」は、上述のパイロット信号の送信電力の低減幅を示し、「復帰タイマ」は、上述のパイロット信号の送信電力が初期値に戻すまでの期間である所定期間を示す。【００７１】
変更判定部２３は、受信した「ＩＵ  Ｒｅｌｅａｓｅ  Ｃｏｍｍａｎｄメッセージ（無線回線解放指示）」から、上述の累積判定処理の結果が「Ｙｅｓ」であることを検知した場合、図６を用いて後述するＣＰＩＣＨパワーリダクション処理を行うように構成されている。【００７２】
変更判定部２３は、ＣＰＩＣＨパワーリダクション処理の結果に応じて、上述の特定無線基地局（例えば、フェムト無線基地局０３）におけるＣＰＩＣＨを介したパイロット信号の送信電力を低減するか否かについて判定するように構成されている。【００７３】
具体的には、変更判定部２３は、ＣＰＩＣＨパワーリダクション処理の結果が「Ｙｅｓ」の場合、上述の特定無線基地局（例えば、フェムト無線基地局０３）におけるＣＰＩＣＨを介したパイロット信号の送信電力を低減するように決定するように構成されている。【００７４】
例えば、変更判定部２３は、特定無線基地局（例えば、フェムト無線基地局０３）配下のセル（例えば、フェムトセル０３）における他セルのオーバレイ状況に応じて、かかる特定無線基地局におけるＣＰＩＣＨを介したパイロット信号の送信電力を低減するか否かについて判定するように構成されていてもよい。【００７５】
なお、変更判定部２３は、所定期間経過後に、上述のパイロット信号の送信電力を初期値に戻すことを決定するように構成されていてもよい。【００７６】
変更指示部２４は、変更判定部２３によって、上述の特定無線基地局（例えば、フェムト無線基地局０３）におけるＣＰＩＣＨを介したパイロット信号の送信電力を低減するように決定された場合、その旨を、「Ｃｅｌｌ  Ｒｅｃｏｎｆｉｇｕｒａｔｉｏｎ  Ｒｅｑｕｅｓｔメッセージ」等を用いて、かかる特定無線基地局に指示するように構成されている。【００７７】
（本発明の第１の実施形態に係る移動通信システムの動作）
図３乃至図８を参照して、本発明の第１の実施形態に係る移動通信システムの動作について説明する。【００７８】
第１に、図３乃至図６を参照して、本発明の第１の実施形態に係る移動通信システムにおいて、移動局ＵＥのフェムト無線基地局０３配下のフェムトセル０３を含む位置登録エリアに対する位置登録処理が拒否される場合の動作について説明する。【００７９】
図３に示すように、ステップＳ１００１において、移動局ＵＥは、受信電力が最も良いパイロット信号に対応するセルの報知情報に含まれているセル（フェムトセル０３）の位置番号（フェムトセル０３が属するページングエリアの識別子）と、当該移動局ＵＥにおいて記憶されているセル（マクロセル０１）の位置番号（セル０１が属するページングエリアの識別子）とを比較する。【００８０】
両者が一致していれば、移動局ＵＥは、本動作を終了して、現在位置登録処理を行っている（待ち受けを行っている）マクロセル０１において待ち受けを継続する。【００８１】
一方、両者が不一致であれば、移動局ＵＥは、ステップＳ１００２及びＳ１００３において、無線制御局ＲＮＣ０１に対して、「ＲＲＣ  Ｃｏｎｎｅｃｔｉｏｎ  Ｒｅｑｕｅｓｔメッセージ」を送信することによって、当該無線制御局ＲＮＣ０１との間で無線回線を設定した上で、ステップＳ１００４において、交換局ＭＳＣ/ＳＧＳＮに対して、フェムトセル０３を含む位置登録エリアに対する位置登録処理を要求するための「Ｒｏｕｔｉｎｇ  Ａｒｅａ  Ｕｐｄａｔｅ  Ｒｅｑｕｅｓｔメッセージ（位置登録要求）」を送信する。【００８２】
ステップＳ１００５において、移動局ＵＥについての認証処理が行われた後、ステップＳ１００６において、交換局ＭＳＣ/ＳＧＳＮは、移動局ＵＥのフェムトセル０３に対するアクセスが許可されているか否かについて判定する。【００８３】
本実施形態では、移動局ＵＥのフェムトセル０３に対するアクセスが許可されていないため、ステップＳ１００７において、交換局ＭＳＣ/ＳＧＳＮは、累積判定処理を行う。以下、図４を参照して、かかる累積判定処理について説明する。【００８４】
図４に示すように、ステップＳ１０１において、交換局ＭＳＣ/ＳＧＳＮの累積判定部１４は、累積カウンタ情報記憶部１３から、当該移動局ＵＥの「移動局識別子（図４の例では、＃１）」に対応する「累積カウンタ」を取得する。【００８５】
この際、累積カウンタ情報記憶部１３は、「累積カウンタ」を１つインクリメントしてから、累積判定部１４に送信する（図４の例では、「累積カウンタ」を「４」から「５」へインクリメントしている）。【００８６】
ステップＳ１０２において、累積判定部１４は、取得した「累積カウンタ」が「所定閾値」以上であるか否かについて、すなわち、当該移動局ＵＥのフェムトセル０３を含む位置登録エリアに対する位置登録処理の拒否回数が所定回数以上であるか否かについて判定する。【００８７】
ここで、かかる「所定閾値（所定回数）」は、予めシステムデータ等として定義されていればよく、累積カウンタ情報と同様に、物理的には、メモリやハードディスク等に保存されていればよい。【００８８】
「累積カウンタ」が「所定閾値」以上であると判定された場合、本動作は、ステップＳ１０３に進み、「累積カウンタ」が「所定閾値」以上でないと判定された場合、累積判定部１４は、累積判定処理の結果を「Ｎｏ」とする。【００８９】
ステップＳ１０３において、累積判定部１４は、上述の特定無線基地局に対するアクセスが許可されている特定移動局（ホーム移動局）が通信中であるか否かについて判定する。【００９０】
かかる特定移動局（ホーム移動局）が通信中であると判定された場合、累積判定部１４は、累積判定処理の結果を「Ｎｏ」とし、かかる特定移動局（ホーム移動局）が通信中でないと判定された場合、累積判定部１４は、累積判定処理の結果を「Ｙｅｓ」とする。【００９１】
ここで、図５を参照して、上述の「累積カウンタ」クリアするための累積カウンタクリア処理について説明する。なお、かかる累積カウンタクリア処理は、例えば、１秒ごとに開始され、全ての移動局ＵＥに対して繰り返し行われる。【００９２】
図５に示すように、ステップＳ２０１において、累積カウンタ情報記憶部１３は、該当する移動局ＵＥの「移動局識別子」に対応する「クリアタイマ」のカウントを減らす。【００９３】
ステップＳ２０２において、「クリアタイマ」が満了していなければ、すなわち、「クリアタイマ」が「０」となっていなければ、累積カウンタ情報記憶部１３は、当該移動局ＵＥに対する累積カウンタクリア処理を終了し、次の移動局ＵＥに対する累積カウンタクリア処理を開始する。【００９４】
一方、ステップＳ２０２において、「クリアタイマ」が満了している場合、すなわち、「クリアタイマ」が「０」となっている場合、ステップＳ２０３において、累積カウンタ情報記憶部１３は、当該移動局ＵＥの「累積カウンタ」をクリアし、「クリアタイマ」を「未設定状態」に遷移させた後、当該移動局ＵＥに対する累積カウンタクリア処理を終了し、次の移動局ＵＥに対する累積カウンタクリア処理を開始する。【００９５】
図３に戻り、累積判定処理の結果が「Ｎｏ」である場合、交換局ＭＳＣ/ＳＧＳＮは、ステップＳ１００８Ａにおいて、移動局ＵＥに対して、「Ｒｏｕｔｉｎｇ  Ａｒｅａ  Ｕｐｄａｔｅ  Ｒｅｊｅｃｔメッセージ（位置登録拒否応答）」を送信し、ステップＳ１００９Ａにおいて、フェムト無線基地局０３に対して、「ＩＵ  Ｒｅｌｅａｓｅ  Ｃｏｍｍａｎｄメッセージ」を送信し、ステップＳ１０１０Ａにおいて、無線制御局ＲＮＣと移動局ＵＥとの間で確立されていた無線回線を開放する。【００９６】
一方、累積判定処理の結果が「Ｙｅｓ」である場合、交換局ＭＳＣ/ＳＧＳＮは、ステップＳ１００８Ｂにおいて、移動局ＵＥに対して、「Ｒｏｕｔｉｎｇ  Ａｒｅａ  Ｕｐｄａｔｅ  Ｒｅｊｅｃｔメッセージ（位置登録拒否応答）」を送信し、ステップＳ１００９Ｂにおいて、フェムト無線基地局０３に対して、累積判定処理の結果が「Ｙｅｓ」であることを通知する「ＩＵ  Ｒｅｌｅａｓｅ  Ｃｏｍｍａｎｄメッセージ」を送信し、ステップＳ１０１０Ｂにおいて、無線制御局ＲＮＣと移動局ＵＥとの間で確立されていた無線回線を開放する。【００９７】
その後、ステップＳ１０１１において、無線制御局ＲＮＣの変更判定部２３は、ステップＳ１００９Ｂの「ＩＵ  Ｒｅｌｅａｓｅ  Ｃｏｍｍａｎｄメッセージ」に応じて、ＣＰＩＣＨパワーリダクション判定処理を行う。以下、図６を参照して、かかるＣＰＩＣＨパワーリダクション判定処理について説明する。【００９８】
図６に示すように、ステップＳ３０１において、無線制御局ＲＮＣの変更判定部２３は、セルＣＰＩＣＨパワー情報記憶部２２から、フェムトセル０３の「セル識別子（図６の例では、＃１）」に対応する「ＣＰＩＣＨパワー（図６の例では、１０ｄＢｍ）」と「下限値（図６の例では、−６ｄＢｍ）」と「ステップ幅（図６の例では、２ｄＭｂ）」とを取得する。【００９９】
ここで、変更判定部２３は、当該「セル識別子」に対応する「復帰タイマ」を再設定する（図６の例では、１５秒から初期値の１８０秒に再設定している）。【０１００】
なお、かかる「復帰タイマ」が「未設定」であれば、変更判定部２３は、かかる「復帰タイマ」を、初期値（例えば、１８０秒）に設定する。【０１０１】
ステップＳ３０２において、変更判定部２３は、取得した「ＣＰＩＣＨパワー」から「ステップ幅」を減算した値が「下限値」以上であるか否かについて判定する。【０１０２】
「下限値」以上であると判定された場合、本動作は、ステップＳ３０３に進み、「下限値」以上でないと判定された場合、変更判定部２３は、ＣＰＩＣＨパワーリダクション判定処理の結果を「Ｎｏ」とする。【０１０３】
ステップＳ３０３において、変更判定部２３は、当該フェムトセル０３に対してオーバレイされている異周波数セルが存在するか否かについて判定する。【０１０４】
かかるセルが存在すると判定された場合、変更判定部２３は、移動局ＵＥを、かかる異周波数セルへ誘導することで、フェムトセル０３におけるパイロット信号の送信電力を下げなくても、当該移動局ＵＥに対して通信サービスを提供できる可能性があると判断し、ＣＰＩＣＨパワーリダクション判定処理の結果を「Ｎｏ」とする。【０１０５】
かかる場合、変更判定部２３は、無線回線の解放時に、かかる異周波数で待ち受けを行うように、移動局ＵＥに指定するように構成されていてもよい。なお、かかる異周波数セルの有無は、無線制御局ＲＮＣの局データ等に予め保持しておけばよい。【０１０６】
一方、かかるセルが存在しないと判定された場合、変更判定部２３は、ＣＰＩＣＨパワーリダクション判定処理の結果を「Ｙｅｓ」とする。【０１０７】
かかる場合、変更判定部２３は、フェムト無線基地局０３からの「Ｃｅｌｌ  Ｒｅｃｏｎｆｉｇｕｒａｔｉｏｎ  Ｒｅｓｐｏｎｓｅメッセージ（セル再構成応答）」を受信した時に、セルＣＰＩＣＨパワー情報記憶部２２における「ＣＰＩＣＨパワー」を更新する。【０１０８】
再び、図３に戻り、ＣＰＩＣＨパワーリダクション判定処理の結果が「Ｎｏ」である場合、ステップＳ１０１２Ａにおいて、フェムト無線基地局０３が、フェムトセル０３におけるパイロット信号の送信電力を変更することなく、本動作は終了する。【０１０９】
一方、ＣＰＩＣＨパワーリダクション判定処理の結果が「Ｙｅｓ」である場合、無線制御局ＲＮＣは、ステップ１０１２Ｂにおいて、フェムト無線基地局０３に対して、フェムトセル０３におけるパイロット信号の送信電力を、上述の「ステップ幅」だけ低減することを指示する「Ｃｅｌｌ  Ｒｅｃｏｎｆｉｇｕｒａｔｉｏｎ  Ｒｅｑｕｅｓｔメッセージ（セル再構成要求）」を送信する。【０１１０】
フェムト無線基地局０３は、ステップＳ１０１３Ｂにおいて、フェムトセル０３におけるパイロット信号の送信電力を、上述の「ステップ幅」だけ低減した後、ステップＳ１０１４Ｂにおいて、無線制御局ＲＮＣに対して、「Ｃｅｌｌ  Ｒｅｃｏｎｆｉｇｕｒａｔｉｏｎ  Ｒｅｓｐｏｎｓｅメッセージ（セル再構成応答）」を送信する。【０１１１】
第２に、図７及び図８を参照して、本発明の第１の実施形態に係る移動通信システムにおいて、フェムト無線基地局０３配下のフェムトセル０３におけるＣＰＩＣＨを介したパイロット信号の送信電力を復帰させる動作について説明する。【０１１２】
図７に示すように、ステップＳ２００１において、無線制御局ＲＮＣが、フェムト無線基地局０３配下のフェムトセル０３におけるＣＰＩＣＨを介したパイロット信号の送信電力を復帰させるか否かについて判定するためのＣＰＩＣＨパワー復帰判定処理を行う。【０１１３】
以下、図８を参照して、かかるＣＰＩＣＨパワー復帰判定処理について説明する。なお、かかるＣＰＩＣＨパワー復帰判定処理は、例えば、１秒ごとに開始され、全てのセルに対して繰り返し行われる。【０１１４】
図８に示すように、ステップ４０１において、ＣＰＩＣＨパワー情報記憶部２２は、該当するセルの「セル識別子」に対応する「復帰タイマ」のカウントを減らす。【０１１５】
ステップＳ４０２において、「復帰タイマ」が満了していなければ、すなわち、「復帰タイマ」が「０」となっていなければ、ＣＰＩＣＨパワー情報記憶部２２は、当該セルに対するＣＰＩＣＨパワー復帰判定処理の結果を「Ｎｏ」とし、次のセルに対するＣＰＩＣＨパワー復帰判定処理を開始する。【０１１６】
一方、ステップＳ４０２において、「復帰タイマ」が満了している場合、すなわち、「復帰タイマ」が「０」となっている場合、ＣＰＩＣＨパワー情報記憶部２２は、当該セルに対するＣＰＩＣＨパワー復帰判定処理の結果を「Ｙｅｓ」とし、次のセルに対するＣＰＩＣＨパワー復帰判定処理を開始する。【０１１７】
ここで、変更判定部２３は、ＣＰＩＣＨパワー復帰判定処理の結果が「Ｙｅｓ」となり、当該セルにおけるＣＰＩＣＨＩを介したパイロット信号の送信電力が初期値に戻されたことを示す「Ｃｅｌｌ  Ｒｅｃｏｎｆｉｇｕｒａｔｉｏｎ  Ｒｅｓｐｏｎｓｅメッセージ（セル再構成応答）」を、フェムトセル０３から受信した時に、セルＣＰＩＣＨパワー情報記憶部２２において、当該フェムトセル０３の「ＣＰＩＣＨパワー」を「初期値」に設定すると共に、当該フェムトセル０３の「復帰タイマ」を「未設定状態」に遷移させる。【０１１８】
図７に戻り、ＣＰＩＣＨパワー復帰判定処理の結果が「Ｎｏ」である場合、ステップＳ２００２Ａにおいて、フェムト無線基地局０３が、フェムトセル０３におけるパイロット信号の送信電力を初期値に戻すことなく、本動作は終了する。【０１１９】
一方、ＣＰＩＣＨパワー復帰判定処理の結果が「Ｙｅｓ」である場合、無線制御局ＲＮＣは、ステップ２００２Ｂにおいて、無線制御局ＲＮＣが、フェムト無線基地局０３に対して、フェムトセル０３におけるパイロット信号の送信電力を「初期値」に戻すことを指示する「Ｃｅｌｌ  Ｒｅｃｏｎｆｉｇｕｒａｔｉｏｎ  Ｒｅｑｕｅｓｔメッセージ（セル再構成要求）」を送信する。【０１２０】
フェムト無線基地局０３は、ステップＳ２００３Ｂにおいて、フェムトセル０３におけるパイロット信号の送信電力を「初期値」に戻した後、ステップＳ２お０４Ｂにおいて、無線制御局ＲＮＣに対して、「Ｃｅｌｌ  Ｒｅｃｏｎｆｉｇｕｒａｔｉｏｎ  Ｒｅｓｐｏｎｓｅメッセージ（セル再構成応答）」を送信する。【０１２１】
なお、図７及び図８の例では、セルＣＰＩＣＨパワー情報記憶部２２が、「初期値」と「下限値」と「ステップ幅」と「復帰タイマ」とを、個別に数値で保持するように構成されているが、典型的な数値の集合に対して「タイプ番号」を割り振り、各「セル識別子」に対して「タイプ番号」を関連付けて保持するように構成されていてもよい。かかるタイプ番号や集合は、移動通信システムの動作中に、遠隔で変更可能であってもよい。【０１２２】
（本発明の第１の実施形態に係る移動通信システムの作用・効果）
本発明の第１の実施形態に係る移動通信システムによれば、フェムトセル０３において待ち受け状態となることができない移動局ＵＥに対して、フェムトセル０３以外での通信サービスを提供可能にし、サービス性を向上させることができる。【０１２３】
また、本発明の第１の実施形態に係る移動通信システムによれば、セル選択処理や位置登録処理の繰り返しを回避しつつ、移動局ＵＥのバッテリーの節約を可能にして、利便性を高めることができる。【０１２４】
本発明の第１の実施形態に係る移動通信システムによれば、所定期間経過後に、移動局ＵＥのフェムトセル０３を含む位置登録エリアに対する位置登録処理の拒否回数をクリアするように構成されているため、フェムトセル０３において待ち受け状態となることができない当該移動局ＵＥへの通信サービスの提供と、フェムトセル０３のカバレッジとのトレードオフ関係を、容易かつ柔軟に制御することができる。【０１２５】
本発明の第１の実施形態に係る移動通信システムによれば、フェムトセル０３において特定移動局（ホーム移動局）が通信中である場合には、フェムトセル０３におけるパイロット信号の送信電力を低減させないことで、特定移動局のフェムトセル０３での通信品質を確保することができる。【０１２６】
本発明の第１の実施形態に係る移動通信システムによれば、フェムトセル０３において待ち受け状態になることができない移動局ＵＥによって当該フェムトセル０３を含む位置登録エリアに対して位置登録処理が無限に繰り返されることに起因するバッテリー浪費も回避することができる。【０１２７】
本発明の第１の実施形態に係る移動通信システムによれば、セルＣＰＩＣＨパワー情報記憶部２２における「初期値」や「下限幅」や「ステップ幅」等を適切に設定することによって、フェムトセル０３におけるパイロット信号の送信電力の低減を適切に制御することができる。【０１２８】
本発明の第１の実施形態に係る移動通信システムによれば、フェムトセル０３において待ち受け状態になることができない移動局ＵＥを、フェムトセル０３にオーバレイする異周波数セルへ誘導できる場合には、フェムトセル０３におけるパイロット信号の送信電力を低減させないことで、フェムトセル０３のカバレッジを無駄に損なう懸念を回避することができる。【０１２９】
本発明の第１の実施形態に係る移動通信システムによれば、フェムトセル０３において待ち受け状態となることができない移動局ＵＥが近傍に在圏しない場合には、フェムトセル０３のカバレッジを広い状態に戻すことができる。【０１３０】
本発明の第１の実施形態に係る移動通信システムによれば、遠隔操作で、フェムトセル０３におけるパイロット信号の送信電力を元に戻すことができるので、フェムトセル０３のカバレッジを迅速かつ効率的に変更することができる。【０１３１】
（変更例１）
上述の実施形態では、Ｗ-ＣＤＭＡ方式の移動通信システムを例に挙げて説明されているが、本発明は、かかる移動通信システムに限定されるものではなく、例えば、図９に示すよう、ＬＴＥ（Ｌｏｎｇ  Ｔｅｒｍ  Ｅｖｏｌｕｔｉｏｎ）方式の移動通信システムにも適用可能である。【０１３２】
かかる場合、上述の無線基地局ＮｏｄｅＢの機能及び無線制御局ＲＮＣの機能は、無線基地局ｅＮＢに搭載されることになる。【０１３３】
例えば、上述の実施形態において無線制御局ＲＮＣに設けられていた変更判定部２３が、本変更例では、無線基地局ｅＮＢに具備されていてもよい。【０１３４】
また、本変更例では、上述の実施形態において交換局ＭＳＣ/ＳＧＳＮに設けられていたアクセス判定部１２が、本変更例では、無線基地局ｅＮＢ又は集約装置ＨＮＢ-ＧＷに具備されていてもよい。【０１３５】
（変更例２）
以下、本発明の変更例２に係る移動通信システムについて、図１０を参照して説明する。ここで、本発明の変更例２に係る移動通信システムについて、上述の第１の実施形態に係る移動通信システムとの相違点に着目して説明する。【０１３６】
例えば、上述の実施形態において無線制御局ＲＮＣに設けられていた変更判定部２３が、本変更例では、無線基地局ＮｏｄｅＢに具備されていてもよい。【０１３７】
また、本変更例では、上述の実施形態において交換局ＭＳＣ/ＳＧＳＮに設けられていたアクセス判定部１２が、本変更例では、無線基地局ＮｏｄｅＢ、集約装置ＨＮＢ-ＧＷ又は交換局ＭＳＣ/ＳＧＳＮに具備されていてもよい。【０１３８】
なお、上述の移動局ＵＥや無線基地局（フェムト無線基地局）ＮｏｄｅＢ（ｅＮＢ）や交換機ＭＳＣ/ＳＧＳＮ（ＭＭＥ）や無線制御局ＲＮＣや集約装置ＨＮＢ-ＧＷの動作は、ハードウェアによって実施されてもよいし、プロセッサによって実行されるソフトウェアモジュールによって実施されてもよいし、両者の組み合わせによって実施されてもよい。【０１３９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。【０１４０】
かかる記憶媒体は、プロセッサが当該憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢ（ｅＮＢ）や交換機ＭＳＣ/ＳＧＳＮ（ＭＭＥ）や無線制御局ＲＮＣや集約装置ＨＮＢ-ＧＷ内に設けられていてもよい。また、かかる記憶媒体及びプロセッサは、ディスクリートコンポーネントとして移動局ＵＥや無線基地局ｅＮＢや交換機ＭＭＥや無線制御局ＲＮＣや集約装置ＨＮＢ-ＧＷ内に設けられていてもよい。【０１４１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【０１４２】
以上説明したように、本発明によれば、フェムトセル０３において待ち受け状態に入ることができない移動局ＵＥに対しても、フェムトセル０３以外での通信サービスを提供することを可能にしつつ、セル選択処理や位置登録処理の繰り返しを回避することによって、移動局ＵＥのバッテリー節約を可能にして利便性を高めることができる移動通信方法、移動通信システム、プログラム、交換局及び特定無線基地局を提供することができる。
【図１】
2009123235.tif 000003
【図２】
2009123235.tif 000004
【図３】
2009123235.tif 000005
【図４】
2009123235.tif 000006
【図５】
2009123235.tif 000007
【図６】
2009123235.tif 000008
【図７】
2009123235.tif 000009
【図８】
2009123235.tif 000010
【図９】
2009123235.tif 000011
【図１０】
2009123235.tif 000012
【図１１】
2009123235.tif 000013
【図１２】
2009123235.tif 000014
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
移動局が、受信したパイロット信号に基づいて、特定無線基地局配下のセルを含む位置登録エリアに対する位置登録処理を行うように要求するための位置登録要求を送信する工程Ａと、
ネットワーク装置が、前記移動局から前記位置登録要求を受信した場合で、かつ、該移動局の前記特定無線基地局に対するアクセスが許可されていないと判定した場合、前記位置登録処理を拒否する工程Ｂと、
前記位置登録処理の拒否に基づいて、前記ネットワーク装置が、前記特定無線基地局における前記パイロット信号の送信電力を調整するように決定する工程Ｃとを有することを特徴とする移動通信方法。
【請求項２】
前記ネットワーク装置は、前記位置登録処理の拒否回数を累積しており、所定期間、前記位置登録処理が拒否されない場合、累積している該位置登録処理の拒否回数をクリアすることを特徴とする請求項１に記載の移動通信方法。
【請求項３】
前記工程Ｄにおいて、前記ネットワーク装置は、前記特定無線基地局に対するアクセスが許可されている特定移動局の通信状況に応じて、該特定無線基地局における前記パイロット信号の送信電力を低減するか否かについて判定することを特徴とする請求項１に記載の移動通信方法。
【請求項４】
前記ネットワーク装置は、前記移動局の前記特定無線基地局に対するアクセスが許可されていないと判定された場合であっても、前記位置登録処理の拒否回数が所定回数を超えている場合には、前記位置登録処理を拒否しないことを特徴とする請求項１に記載の移動通信方法。
【請求項５】
前記工程Ｂにおいて、前記ネットワーク装置は、前記位置登録処理の拒否回数に応じて、該位置登録処理を拒否することを通知するための位置登録拒否応答に含める要因を変更することを特徴とする請求項１に記載の移動通信方法。
【請求項６】
前記工程Ｃにおいて、前記ネットワーク装置は、前記特定無線基地局配下のセルにおける他セルのオーバレイ状況に応じて、該特定無線基地局における前記パイロット信号の送信電力を低減するか否かについて判定することを特徴とする請求項１に記載の移動通信方法。
【請求項７】
前記ネットワーク装置は、所定期間経過後に、前記特定無線基地局における前記パイロット信号の送信電力を初期値に戻すこと決定することを特徴とする請求項１に記載の移動通信方法。
【請求項８】
移動局が、受信したパイロット信号に基づいて、特定無線基地局配下のセルを含む位置登録エリアに対する位置登録処理を行うように要求するための位置登録要求を送信するように構成されている移動通信システムであって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする移動通信システム。
【請求項９】
前記位置登録処理の拒否回数を累積しており、所定期間、前記位置登録処理が拒否されない場合、累積している該位置登録処理の拒否回数をクリアするように構成されている記憶部を具備することを特徴とする請求項８に記載の移動通信システム。
【請求項１０】
前記変更判定部は、前記特定無線基地局に対するアクセスが許可されている特定移動局の通信状況に応じて、該特定無線基地局における前記パイロット信号の送信電力を低減するか否かについて判定するように構成されていることを特徴とする請求項８に記載の移動通信システム。
【請求項１１】
前記位置登録処理部は、前記移動局の前記特定無線基地局に対するアクセスが許可されていないと判定された場合であっても、前記位置登録処理の拒否回数が所定回数を超えている場合には、前記位置登録処理を拒否しないように構成されていることを特徴とする請求項８に記載の移動通信システム。
【請求項１２】
前記位置登録処理部は、前記位置登録処理の拒否回数に応じて、該位置登録処理を拒否することを通知するための位置登録拒否応答に含める要因を変更するように構成されていることを特徴とする請求項８に記載の移動通信システム。
【請求項１３】
前記変更判定部は、前記特定無線基地局配下のセルにおける他セルのオーバレイ状況に応じて、該特定無線基地局における前記パイロット信号の送信電力を低減するか否かについて判定するように構成されていることを特徴とする請求項８に記載の移動通信システム。
【請求項１４】
前記変更判定部は、所定期間経過後に、前記無線基地局における前記パイロット信号の送信電力を初期値に戻すことを決定するように構成されていることを特徴とする請求項８に記載の移動通信システム。
【請求項１５】
コンピュータを、請求項８乃至１４のいずれか一項に記載の移動通信システムとして動作させることを特徴とするプログラム。
【請求項１６】
移動局が、受信したパイロット信号に基づいて、特定無線基地局配下のセルを含む位置登録エリアに対する位置登録処理を行うように要求するための位置登録要求を送信するように構成されている移動通信システムで用いられる交換局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする交換局。
【請求項１７】
移動局が、受信したパイロット信号に基づいて、特定無線基地局配下のセルを含む位置登録エリアに対する位置登録処理を行うように要求するための位置登録要求を送信するように構成されている移動通信システムで用いられる特定無線基地局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする特定無線基地局。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
特定移動局に対してのみアクセスを許可することができる特定無線基地局を用いた移動通信方法であって、
移動局が、受信したパイロット信号に基づいて、前記特定無線基地局配下のセルを含む位置登録エリアに対する位置登録処理を行うように要求するための位置登録要求を送信する工程Ａと、
ネットワーク装置が、前記移動局から前記位置登録要求を受信した場合で、かつ、該移動局の前記特定無線基地局に対するアクセスが許可されていないと判定した場合、前記位置登録処理を拒否する工程Ｂと、
前記位置登録処理の拒否に基づいて、前記ネットワーク装置が、前記特定無線基地局における前記パイロット信号の送信電力を調整するように決定する工程Ｃとを有することを特徴とする移動通信方法。
【請求項２】
前記工程Ｄにおいて、前記ネットワーク装置は、前記特定無線基地局に対するアクセスが許可されている特定移動局の通信状況に応じて、該特定無線基地局における前記パイロット信号の送信電力を低減するか否かについて判定することを特徴とする請求項１に記載の移動通信方法。
【請求項３】
前記ネットワーク装置は、移動局ごとの前記位置登録処理の拒否回数を累積しており、前記移動局の前記特定無線基地局に対するアクセスが許可されていないと判定された場合であっても、該移動局の前記位置登録処理の拒否回数が所定回数を超えている場合には、前記位置登録処理を拒否しないことを特徴とする請求項１に記載の移動通信方法。
【請求項４】
前記工程Ｂにおいて、前記ネットワーク装置は、移動局ごとの前記位置登録処理の拒否回数を累積しており、前記移動局の前記位置登録処理の拒否回数に応じて、該移動局の前記位置登録処理を拒否することを通知するための位置登録拒否応答に含める要因を変更することを特徴とする請求項１に記載の移動通信方法。
【請求項５】
前記ネットワーク装置は、所定期間、前記移動局の前記位置登録処理が拒否されない場合、累積している該移動局の前記位置登録処理の拒否回数をクリアすることを特徴とする請求項４又は５に記載の移動通信方法。
【請求項６】
前記工程Ｃにおいて、前記ネットワーク装置は、前記特定無線基地局配下のセルにおける他セルのオーバレイ状況に応じて、該特定無線基地局における前記パイロット信号の送信電力を低減するか否かについて判定することを特徴とする請求項１に記載の移動通信方法。
【請求項７】
前記ネットワーク装置は、所定期間経過後に、前記特定無線基地局における前記パイロット信号の送信電力を初期値に戻すこと決定することを特徴とする請求項１に記載の移動通信方法。
【請求項８】
特定無線基地局が、特定移動局に対してのみアクセスを許可することができるように構成されており、移動局が、受信したパイロット信号に基づいて、該特定無線基地局配下のセルを含む位置登録エリアに対する位置登録処理を行うように要求するための位置登録要求を送信するように構成されている移動通信システムであって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする移動通信システム。
【請求項９】
前記変更判定部は、前記特定無線基地局に対するアクセスが許可されている特定移動局の通信状況に応じて、該特定無線基地局における前記パイロット信号の送信電力を低減するか否かについて判定するように構成されていることを特徴とする請求項８に記載の移動通信システム。
【請求項１０】
移動局ごとの前記位置登録処理の拒否回数を累積している記憶部を具備しており、
前記位置登録処理部は、前記移動局の前記特定無線基地局に対するアクセスが許可されていないと判定された場合であっても、該移動局の前記位置登録処理の拒否回数が所定回数を超えている場合には、該移動局の前記位置登録処理を拒否しないように構成されていることを特徴とする請求項８に記載の移動通信システム。
【請求項１１】
移動局ごとの前記位置登録処理の拒否回数を累積している記憶部を具備しており、
前記位置登録処理部は、前記移動局の前記位置登録処理の拒否回数に応じて、該移動局の前記位置登録処理を拒否することを通知するための位置登録拒否応答に含める要因を変更するように構成されていることを特徴とする請求項８に記載の移動通信システム。
【請求項１２】
前記記憶部は、所定期間、前記移動局の前記位置登録処理が拒否されない場合、累積している該移動局の前記位置登録処理の拒否回数をクリアするように構成されている記憶部を具備することを特徴とする請求項１０又は１１に記載の移動通信システム。
【請求項１３】
前記変更判定部は、前記特定無線基地局配下のセルにおける他セルのオーバレイ状況に応じて、該特定無線基地局における前記パイロット信号の送信電力を低減するか否かについて判定するように構成されていることを特徴とする請求項８に記載の移動通信システム。
【請求項１４】
前記変更判定部は、所定期間経過後に、前記無線基地局における前記パイロット信号の送信電力を初期値に戻すことを決定するように構成されていることを特徴とする請求項８に記載の移動通信システム。
【請求項１５】
コンピュータを、請求項８乃至１４のいずれか一項に記載の移動通信システムとして動作させることを特徴とするプログラム。
【請求項１６】
特定無線基地局が、特定移動局に対してのみアクセスを許可することができるように構成されており、移動局が、受信したパイロット信号に基づいて、該特定無線基地局配下のセルを含む位置登録エリアに対する位置登録処理を行うように要求するための位置登録要求を送信するように構成されている移動通信システムで用いられる交換局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする交換局。
【請求項１７】
特定無線基地局が、特定移動局に対してのみアクセスを許可することができるように構成されており、移動局が、受信したパイロット信号に基づいて、該特定無線基地局配下のセルを含む位置登録エリアに対する位置登録処理を行うように要求するための位置登録要求を送信するように構成されている移動通信システムで用いられる特定無線基地局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする特定無線基地局。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
特定移動局に対してのみアクセスを許可することができる特定無線基地局を用いた移動通信方法であって、
移動局が、受信したパイロット信号に基づいて、前記特定無線基地局配下のセルを含む位置登録エリアに対する位置登録処理を行うように要求するための位置登録要求を送信する工程Ａと、
ネットワーク装置が、前記移動局から前記位置登録要求を受信した場合で、かつ、該移動局の前記特定無線基地局に対するアクセスが許可されていないと判定した場合、前記位置登録処理を拒否する工程Ｂと、
前記位置登録処理の拒否に基づいて、前記ネットワーク装置が、前記特定無線基地局における前記パイロット信号の送信電力を調整するように決定する工程Ｃとを有することを特徴とする移動通信方法。
【請求項２】
前記工程Ｄにおいて、前記ネットワーク装置は、前記特定無線基地局に対するアクセスが許可されている特定移動局の通信状況に応じて、該特定無線基地局における前記パイロット信号の送信電力を低減するか否かについて判定することを特徴とする請求項１に記載の移動通信方法。
【請求項３】
前記ネットワーク装置は、移動局ごとの前記位置登録処理の拒否回数を累積しており、前記移動局の前記特定無線基地局に対するアクセスが許可されていないと判定された場合であっても、該移動局の前記位置登録処理の拒否回数が所定回数を超えている場合には、前記位置登録処理を拒否しないことを特徴とする請求項１に記載の移動通信方法。
【請求項４】
前記工程Ｂにおいて、前記ネットワーク装置は、移動局ごとの前記位置登録処理の拒否回数を累積しており、前記移動局の前記位置登録処理の拒否回数に応じて、該移動局の前記位置登録処理を拒否することを通知するための位置登録拒否応答に含める要因を変更することを特徴とする請求項１に記載の移動通信方法。
【請求項５】
前記ネットワーク装置は、所定期間、前記移動局の前記位置登録処理が拒否されない場合、累積している該移動局の前記位置登録処理の拒否回数をクリアすることを特徴とする請求項３又は４に記載の移動通信方法。
【請求項６】
前記工程Ｃにおいて、前記ネットワーク装置は、前記特定無線基地局配下のセルにおける他セルのオーバレイ状況に応じて、該特定無線基地局における前記パイロット信号の送信電力を低減するか否かについて判定することを特徴とする請求項１に記載の移動通信方法。
【請求項７】
前記ネットワーク装置は、所定期間経過後に、前記特定無線基地局における前記パイロット信号の送信電力を初期値に戻すこと決定することを特徴とする請求項１に記載の移動通信方法。
【請求項８】
特定無線基地局が、特定移動局に対してのみアクセスを許可することができるように構成されており、移動局が、受信したパイロット信号に基づいて、該特定無線基地局配下のセルを含む位置登録エリアに対する位置登録処理を行うように要求するための位置登録要求を送信するように構成されている移動通信システムであって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする移動通信システム。
【請求項９】
前記変更判定部は、前記特定無線基地局に対するアクセスが許可されている特定移動局の通信状況に応じて、該特定無線基地局における前記パイロット信号の送信電力を低減するか否かについて判定するように構成されていることを特徴とする請求項８に記載の移動通信システム。
【請求項１０】
移動局ごとの前記位置登録処理の拒否回数を累積している記憶部を具備しており、
前記位置登録処理部は、前記移動局の前記特定無線基地局に対するアクセスが許可されていないと判定された場合であっても、該移動局の前記位置登録処理の拒否回数が所定回数を超えている場合には、該移動局の前記位置登録処理を拒否しないように構成されていることを特徴とする請求項８に記載の移動通信システム。
【請求項１１】
移動局ごとの前記位置登録処理の拒否回数を累積している記憶部を具備しており、
前記位置登録処理部は、前記移動局の前記位置登録処理の拒否回数に応じて、該移動局の前記位置登録処理を拒否することを通知するための位置登録拒否応答に含める要因を変更するように構成されていることを特徴とする請求項８に記載の移動通信システム。
【請求項１２】
前記記憶部は、所定期間、前記移動局の前記位置登録処理が拒否されない場合、累積している該移動局の前記位置登録処理の拒否回数をクリアするように構成されている記憶部を具備することを特徴とする請求項１０又は１１に記載の移動通信システム。
【請求項１３】
前記変更判定部は、前記特定無線基地局配下のセルにおける他セルのオーバレイ状況に応じて、該特定無線基地局における前記パイロット信号の送信電力を低減するか否かについて判定するように構成されていることを特徴とする請求項８に記載の移動通信システム。
【請求項１４】
前記変更判定部は、所定期間経過後に、前記無線基地局における前記パイロット信号の送信電力を初期値に戻すことを決定するように構成されていることを特徴とする請求項８に記載の移動通信システム。
【請求項１５】
コンピュータを、請求項８乃至１４のいずれか一項に記載の移動通信システムとして動作させることを特徴とするプログラム。
【請求項１６】
特定無線基地局が、特定移動局に対してのみアクセスを許可することができるように構成されており、移動局が、受信したパイロット信号に基づいて、該特定無線基地局配下のセルを含む位置登録エリアに対する位置登録処理を行うように要求するための位置登録要求を送信するように構成されている移動通信システムで用いられる交換局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする交換局。
【請求項１７】
特定無線基地局が、特定移動局に対してのみアクセスを許可することができるように構成されており、移動局が、受信したパイロット信号に基づいて、該特定無線基地局配下のセルを含む位置登録エリアに対する位置登録処理を行うように要求するための位置登録要求を送信するように構成されている移動通信システムで用いられる特定無線基地局であって、
前記移動局から受信した前記位置登録要求に応じて、該移動局の前記特定無線基地局に対するアクセスが許可されているか否かについて判定するように構成されているアクセス判定部と、
前記移動局の前記特定無線基地局に対するアクセスが許可されていないと判定された場合、前記位置登録処理を拒否するように構成されている位置登録処理部と、
前記位置登録処理の拒否に基づいて、前記特定無線基地局における前記パイロット信号の送信電力を調整するように決定するように構成されている変更判定部とを具備することを特徴とする特定無線基地局。
【国際調査報告】
2009123235.tif 000015
2009123235.tif 000016
2009123235.tif 000017